(57)【要約】【課題】  通信中のユーザが、第三者に関する情報を確認して、通信中に第三者の望む手段を用いて第三者を通信に招待し、参加させる。【解決手段】  多数ユーザ接続サーバ２０は、ユーザ情報を記憶し、移動機１０ａと通信中の移動機１０ｂに第三者情報として提供する。更に、多数ユーザ接続サーバ２０は、通信中の移動機１０ｂによる移動機１０ｃとの接続の要求に基づいて、移動機１０ａと移動機１０ｂとの通信中に、移動機１０ｂと移動機１０ｃとの接続を制御する。【選択図】図１
2005197816.tif 000002
【特許請求の範囲】
【請求項１】
第三者に関する第三者情報を記憶する第三者情報記憶手段と、
通信中端末からの第三者情報提供要求に基づいて、前記第三者情報を前記通信中端末に提供する第三者情報提供手段と、
前記通信中端末による前記第三者端末との接続の要求に基づいて、前記通信中端末と第三者端末との接続を制御する接続制御手段と
を備えることを特徴とする通信制御装置。
【請求項２】
前記接続制御手段は、前記接続の要求に基づいて前記通信中端末との接続の可否を前記第三者端末に問い合わせ、該問い合わせに対する前記第三者端末からの応答に基づいて前記接続を制御することを特徴とする請求項１に記載の通信制御装置。
【請求項３】
前記第三者情報提供手段は、通信中ユーザに基づいて前記第三者情報の提供を制限することを特徴とする請求項１又は２に記載の通信制御装置。
【請求項４】
前記第三者情報提供手段は、前記第三者情報として、前記第三者の状態、又は、前記第三者端末が備える通信手段の種類の少なくとも１つを提供することを特徴とする請求項１乃至３のいずれか１項に記載の通信制御装置。
【請求項５】
第三者に関する第三者情報を提供し、通信中端末と第三者端末との接続を制御する通信制御装置に、通信中に前記第三者情報の提供を要求する第三者情報要求手段と、
通信中に前記第三者情報を受信する受信手段と、
通信中に前記通信制御装置に前記第三者端末との接続を要求する接続要求手段と
を備えることを特徴とする端末装置。
【請求項６】
第三者に関する第三者情報を記憶する第三者情報記憶手段と、
通信中端末からの第三者情報提供要求に基づいて、前記第三者情報を前記通信中端末に提供する第三者情報提供手段と、
前記通信中端末による第三者端末との接続の要求に基づいて、前記通信中端末と第三者端末との接続を制御する接続制御手段と
を備えることを特徴とする通信システム。
【請求項７】
通信中端末からの第三者情報提供要求に基づいて、第三者に関する第三者情報を前記通信中端末に提供し、
前記通信中端末による第三者端末との接続の要求に基づいて、前記通信中端末と第三者端末との接続を制御することを特徴とする通信方法。
【発明の詳細な説明】
【技術分野】
【０００１】
本発明は、通信制御装置、端末装置、通信システム及び通信方法に関する。
【背景技術】
【０００２】
従来、発信側加入者からの要求に応じて、発信前に相手加入者の状態を発信側加入者に通知する加入者状態通知装置がある（例えば、特許文献１参照）。又、通信先ユーザと通信元ユーザの両方が使用可能な通信手段を、通信開始前に通信元ユーザに通知する通信システムがある（例えば、特許文献２参照）。更に、インターネットでは、常にオンラインで他ユーザの状態を表示できるインスタントメッセージサービス（Instant  Messageサービス、以下「ＩＭサービス」という）が普及している。又、近年、多数ユーザによる音声通話を提供するサービスが行われている。
【特許文献１】特開２０００−２３６３９１号公報
【特許文献２】特開２００１−２４９８７８号公報
【発明の開示】
【発明が解決しようとする課題】
【０００３】
しかしながら、従来の加入者状態通知装置、通知システム、ＩＭサービスによれば、ユーザは、通信開始前に他ユーザの状態や使用可能な通信手段を確認できるものの、通信中に状態や通信手段を確認することはできなかった。そのため、音声通話などの通信を行っているユーザが、現在、通信に参加しているユーザ以外の第三者を通信に参加させて、多数ユーザによる通信を行いたい場合、一度、通信を中断して、第三者の状態や使用可能な通信手段を確認した後、第三者を加えた通信を開始する必要があった。
【０００４】
そこで、本発明は、通信中のユーザが、第三者に関する情報を確認して、通信中に第三者を通信に招待し、参加させることができるようにすることを目的とする。
【課題を解決するための手段】
【０００５】
本発明に係る通信制御装置は、第三者に関する第三者情報を記憶する第三者情報記憶手段と、通信中端末からの第三者情報提供要求に基づいて、第三者情報を通信中端末に提供する第三者情報提供手段と、通信中端末による第三者端末との接続の要求に基づいて、通信中端末と第三者端末との接続を制御する接続制御手段とを備えることを特徴とする。
【０００６】
通信中の端末装置を「通信中端末」という。通信中の端末装置の１つを通信中端末として特定し、特定した通信中端末との関係に基づいて、他の端末装置の種類を特定する。通信中端末と通信中の端末装置を「相手端末」という。通信中端末及び相手端末以外の端末装置、即ち、通信中端末と相手端末が行っている通信に参加していない端末装置を「第三者端末」という。又、通信中端末のユーザを「通信中ユーザ」、相手端末のユーザを「相手ユーザ」という。通信中ユーザ及び相手ユーザ以外のユーザである第三者端末のユーザを「第三者」という。又、通信には、データ通信、音声通信、動画像通信等が含まれる。
【０００７】
このような通信制御装置によれば、第三者情報を記憶しておき、通信中端末に第三者情報を提供できる。更に、通信制御装置は、通信中端末による第三者端末との接続の要求に基づいて、通信中端末と第三者端末との接続を制御できる。通信中端末と第三者端末とが接続することにより、通信中端末、通信中端末と接続している相手端末、第三者端末が接続される。そのため、通信中ユーザは、第三者情報を通信中に取得して確認し、通信中に第三者を通信に招待して、参加させることができる。
【０００８】
接続制御手段は、接続の要求に基づいて通信中端末との接続の可否を第三者端末に問い合わせ、その問い合わせに対する第三者端末からの応答に基づいて接続を制御することが好ましい。これによれば、通信制御装置は、第三者の意向も考慮して、通信中端末と第三者端末との接続を制御できる。
【０００９】
又、第三者情報提供手段は、通信中ユーザに基づいて第三者情報の提供を制限することが好ましい。これによれば、通信制御装置は、第三者が第三者情報の提供を希望しない通信中ユーザのような、第三者情報の提供が許可されていない通信中ユーザへの第三者情報の提供を防止できる。例えば、第三者が、第三者情報の提供の制限について設定する。更に、第三者情報提供手段は、第三者情報として、第三者の状態、又は、第三者端末が備える通信手段の種類の少なくとも１つを提供することが好ましい。これによれば、通信中ユーザは、提供された第三者の状態や第三者端末が備える通信手段の種類に基づいて、第三者を通信に招待するか否かを判断できる。
【００１０】
本発明に係る端末装置は、第三者に関する第三者情報を提供し、通信中端末と第三者端末との接続を制御する通信制御装置に、通信中に第三者情報の提供を要求する第三者情報要求手段と、通信中に第三者情報を受信する受信手段と、通信中に通信制御装置に第三者端末との接続を要求する接続要求手段とを備えることを特徴とする。
【００１１】
このような端末装置によれば、通信中に、通信制御装置に第三者情報の提供を要求して、第三者情報を受信できる。そして、端末装置は、通信中に第三者端末との接続を通信制御装置に要求できる。そのため、通信中ユーザは、第三者情報を通信中に取得して確認し、通信中に第三者を通信に招待して、参加させることができる。
【００１２】
本発明に係る通信システムは、第三者に関する第三者情報を記憶する第三者情報記憶手段と、通信中端末からの第三者情報提供要求に基づいて、第三者情報を通信中端末に提供する第三者情報提供手段と、通信中端末による第三者端末との接続の要求に基づいて、通信中端末と第三者端末との接続を制御する接続制御手段とを備えることを特徴とする。
【００１３】
本発明に係る通信方法は、通信中端末からの第三者情報提供要求に基づいて、第三者に関する第三者情報を通信中端末に提供し、通信中端末による第三者端末との接続の要求に基づいて、通信中端末と第三者端末との接続を制御することを特徴とする。
【発明の効果】
【００１４】
以上説明したように、本発明によれば、通信中のユーザが、第三者に関する情報を確認して、通信中に第三者を通信に招待し、参加させることができる。
【発明を実施するための最良の形態】
【００１５】
〔通信システム〕
図１、図２に示すように、通信システム１は、複数の移動機１０ａ，１０ｂ,１０ｃと、多数ユーザ接続サーバ２０と、ネットワーク３０と、交換機４０とを備える。図１、図２では、データ通信を実線で、音声通信を点線で示している。図１、図２は、移動機１０ａと移動機１０ｂが音声通話を行い、通信中の場合に、後から、移動機１０ｂの招待によって、移動機１０ｃが、移動機１０ａと移動機１０ｂとの音声通話に参加する場合を示している。
【００１６】
移動機１０ａ〜１０ｃは端末装置である。移動機１０ｂを通信中端末とし、移動機１０ａを相手端末とする。移動機１０ｃは、移動機１０ａと移動機１０ｂが行っている通信に参加していない第三者端末である。移動機１０ｂのユーザ１ｂが通信中ユーザ、移動機１０ａのユーザ１ａが相手ユーザ、移動機１０ｃのユーザ１ｃが第三者となる。多数ユーザ接続サーバ２０は、第三者に関する第三者情報を提供し、通信中端末と第三者端末との接続を制御する通信制御装置である。交換機４０は、ネットワーク３０内に設けられる。
【００１７】
移動機１０ｂ，１０ｃは、通信部１１ｂ，１１ｂと、入力部１２ｂ，１２ｃと、音声出力部１３ｂ，１３ｃと、表示部１４ｂ，１４ｃと、記憶部１５ｂ，１５ｃと、制御部１６ｂ，１６ｃとを備える。移動機１０ａも移動機１０ｂ，１０ｃと同様の構成を備える。以下、移動機１０ｂ，１０ｃを例にとって説明する。
【００１８】
通信部１１ｂ，１１ｃは、ネットワーク３０を介して多数ユーザ接続サーバ２０、他の移動機と通信する。通信部１１ｂ，１１ｃは、移動機が通信中端末となったときに、通信中に第三者情報を受信する受信手段として機能する。通信部１１ｂ，１１ｃは、制御部１６ｂ，１６ｃから第三者情報提供要求を取得し、通信中に多数ユーザ接続サーバ２０に送信する。第三者情報提供要求は、第三者情報の提供を要求するものであり、通信中ユーザのユーザＩＤと、提供を希望する第三者のユーザＩＤを含む。ユーザＩＤは、ユーザを識別するデータであり、電話番号や移動機番号などを用いることができる。本実施形態では、ユーザＩＤとして電話番号を用いる。
【００１９】
そして、通信部１１ｂ，１１ｃは、第三者情報提供要求に対する応答として多数ユーザ接続サーバ２０から提供される第三者情報を、通信中に受信する。通信部１１ｂ，１１ｃは、受信した第三者情報を制御部１６ｂ，１６ｃに入力する。第三者情報には、例えば、第三者の本名やニックネームなどの名前、メールアドレス、第三者が属するグループ、第三者端末が備える通信手段の種類、第三者の状態などがある。
【００２０】
ユーザは、特定のグループに属することができる。グループには、例えば、家族、友達、仕事などの種類がある。グループは、グループ名や、グループに付与された電話番号などのグループを識別するグループＩＤを用いて示すことができる。通信手段の種類には、音声通信が可能な通信手段、動画像通信が可能な通信手段、データ通信が可能な通信手段などがある。
【００２１】
状態には、通信状態、位置、食事中、睡眠中、移動中、通勤中、通学中、帰宅中、仕事中、会議中、退席中、勉強中、家事中、スポーツ中、買い物中、映画鑑賞中、暇、ユーザの感情、移動機の動作モードなどがある。通信状態には、通信中、通信可能であるが通信をしていない待ち受け中、通信できない圏外又は電源オフがある。更に、通信状態には、使用している通信手段、相手ユーザ、通信中ユーザや相手ユーザが属するグループ、ローミング状態のような通信に関するより詳細な通信情報も含まれる。本実施形態では、状態を、「通信状態」、「位置」、「その他の状態」に分類する。通信状態と位置以外の全ての状態が、その他の状態に分類される。
【００２２】
本実施形態では、第三者情報提供要求には、第三者情報として、第三者の名前、通信状態、その他の状態を含む第三者状態リストの提供を要求するリスト要求と、第三者情報として、第三者の名前、通信状態、位置、その他の状態、通信手段の種類を含む詳細情報の提供を要求する詳細情報要求とがある。通信部１１ｂ，１１ｃは、まず、リスト要求を送信し、その応答として第三者状態リストを受信する。その後、通信部１１ｂ，１１ｃは、制御部１６ｂ，１６ｃから詳細情報要求を取得した場合には、詳細情報要求を送信し、その応答として詳細情報を受信する。
【００２３】
更に、通信部１１ｂ，１１ｃは、移動機が通信中端末となったときに、図１に示すように通信中に第三者端末に発信したり、図２に示すように通信中に多数ユーザ接続サーバ２０に接続要求を送信したり、通信中に着信を受け入れたりする。通信部１１ｂ，１１ｃは、制御部１６ｂ，１６ｃの指示に従って、通信中に第三者端末に対して発信する。又、接続要求は、通信制御装置に第三者端末との接続を要求するものであり、通信中ユーザのユーザＩＤと接続を希望する第三者のユーザＩＤを含む。通信部１１ｂ，１１ｃは、制御部１６ｂ，１６ｃから接続要求を取得し、制御部１６ｂ，１６ｃの指示に従って、通信中に多数ユーザ接続サーバ２０に接続要求を送信する。更に、通信部１１ｂ，１１ｃは、第三者端末に接続の要求が拒否されたことを通知する拒否結果通知を、多数ユーザ接続サーバ２０から受信する。
【００２４】
又、通信部１１ｂ，１１ｃは、移動機が第三者端末となったときに、多数ユーザ接続サーバ２０から、通信中端末との接続の可否の問い合わせを受信し、制御部１６ｂ，１６ｃに入力する。接続の可否の問い合わせには、通信中端末が行っている通信に関する通信情報が含まれる。例えば、問い合わせには、使用している通信手段、通信中ユーザや相手ユーザのような通信メンバ、通信メンバが属するグループなどが通信情報として含まれる。
【００２５】
更に、通信部１１ｂ，１１ｃは、制御部１６ｂ，１６ｃからユーザ情報提供要求を取得し、多数ユーザ接続サーバ２０に送信する。ユーザ情報提供要求は、通信中ユーザや相手ユーザのユーザ情報の提供を要求するものであり、第三者のユーザＩＤと、提供を希望する通信中ユーザや相手ユーザのユーザＩＤを含む。そして、通信部１１ｂ，１１ｃは、ユーザ情報提供要求に対する応答として多数ユーザ接続サーバ２０から提供される通信中ユーザや相手ユーザのユーザ情報を受信する。通信部１１ｂ，１１ｃは、受信したユーザ情報を制御部１６ｂ，１６ｃに入力する。ユーザ情報には、例えば、ユーザの名前、メールアドレス、ユーザが属するグループ、移動機が備える通信手段の種類、ユーザの状態などがある。
【００２６】
又、通信部１１ｂ，１１ｃは、制御部１６ｂ，１６ｃから承諾通知又は拒否通知を取得し、制御部１６ｂ，１６ｃの指示に従って、多数ユーザ接続サーバ２０に承諾通知又は拒否通知を送信する。承諾通知は、通信中端末との接続を承諾する通知である。拒否通知は、通信中端末との接続を拒否する通知である。
【００２７】
又、通信部１１ｂ，１１ｃは、移動機が相手端末となったときに、多数ユーザ接続サーバ２０から参加者通知を受信し、制御部１６ｂ，１６ｃに入力する。参加者通知は、相手端末に、通信中端末と行っている通信に第三者端末が参加することを通知するものである。
【００２８】
更に、通信部１１ｂ，１１ｃは、多数ユーザ接続サーバ２０に、移動機１０ｂ，１０ｃのユーザ１ｂ，１ｃに関するユーザ情報を送信する。多数ユーザ接続サーバ２０に送信したユーザ情報は、第三者情報、通信中ユーザや相手ユーザに関する情報として使用される。通信部１１ｂ，１１ｃは、制御部１６ｂ，１６ｃから、ユーザ情報登録要求を取得し、多数ユーザ接続サーバ２０に送信する。ユーザ情報登録要求は、多数ユーザ接続サーバ２０にユーザ情報の登録を要求するものであり、ユーザＩＤに対応付けられたユーザ情報を含む。尚、通信部１１ｂ，１１ｃは、ユーザ情報登録要求を一度送信した後は、ユーザ情報のうち、更新が必要なユーザ情報だけを含むユーザ情報登録要求を送信するようにしてもよい。又、通信部１１ｂ，１１ｃは、ユーザの状態のように頻繁に更新が必要なユーザ情報を含まないユーザ情報登録要求を送信してもよい。
【００２９】
又、通信部１１ｂ，１１ｃは、多数ユーザ接続サーバ２０に、ユーザ情報の提供条件を送信する。多数ユーザ接続サーバ２０に送信した提供条件は、第三者情報、通信中ユーザや相手ユーザに関する情報の提供を制限するために使用される。本実施形態では、ユーザのユーザＩＤや、グループのグループ名やグループＩＤを用いて、ユーザ情報の提供を許可するユーザやグループを指定した提供条件を用いる。ユーザ情報の提供が許可されているユーザやグループを「公開メンバ」という。通信部１１ｂ，１１ｃは、提供条件通知を制御部１６ｂ，１６ｃから取得し、多数ユーザ接続サーバ２０に送信する。提供条件通知は、ユーザＩＤに対応付けられた提供条件を含む。
【００３０】
図１に示すように、通信中端末である移動機１０ｂの通信部１１ｂは、第三者情報提供要求をデータ通信により多数ユーザ接続サーバ２０に送信し、多数ユーザ接続サーバ２０から第三者情報をデータ通信により受信する。通信部１１ｂは、図１に示すように音声通信により第三者端末である移動機１０ｃに発信する。あるいは、通信部１１ｂは、図２に示すようにデータ通信により第三者端末である移動機１０ｃとの接続を要求する接続要求を、多数ユーザ接続サーバ２０に送信する。
【００３１】
第三者端末である移動機１０ｃの通信部１１ｃは、多数ユーザ接続サーバ２０からの問い合わせをデータ通信により受信する。又、図示を省略しているが、通信部１１ｃは、ユーザ情報提供要求をデータ通信により多数ユーザ接続サーバ２０に送信し、多数ユーザ接続サーバ２０からの通信中ユーザや相手ユーザのユーザ情報をデータ通信により受信する。そして、通信部１１ｃは、承諾通知をデータ通信により多数ユーザ接続サーバ２０に送信する。更に、移動機１０ａの通信部は、データ通信により参加者通知を受信する。又、図示を省略しているが、移動機１０ａ〜１０ｃの通信部は、ユーザ情報登録要求、提供条件通知を、データ通信により多数ユーザ接続サーバ２０に送信する。
【００３２】
入力部１２ｂ，１２ｃは、ユーザ１ｂ，１ｃからの入力内容を取得し、制御部１６ｂ，１６ｃに入力する。入力部１２ｂ，１２ｃは、キーやマイクを用いることができる。ユーザ１ｂ，１ｃは、通信中ユーザとなった場合に、通信中端末と相手端末との通信中に第三者情報の提供を希望するときに、入力部１２ｂ，１２ｃに対して、提供を希望する第三者を指定し、第三者情報の提供の要求を入力する。例えば、ユーザ１ｂ，１ｃは、第三者のユーザＩＤを選択し、第三者情報の提供の要求を入力するために定められたキーを押すことにより、第三者情報の提供の要求を入力する。ユーザ１ｂ，１ｃは、まず、第三者情報の提供の要求として、第三者状態リストの提供の要求を入力部１２ｂ，１２ｃに入力する。ユーザ１ｂ，１ｃは、第三者状態リストを確認した後、第三者情報の提供の要求として、より詳細な情報を知りたい第三者を指定して、詳細情報の提供の要求を入力部１２ｂ，１２ｃに入力する。
【００３３】
又、ユーザ１ｂ，１ｃは、通信中ユーザとなった場合に、通信中端末と相手端末との通信中に第三者端末との接続を希望するときに、入力部１２ｂ，１２ｃに対して、接続を希望する第三者を指定し、第三者端末との接続の要求を入力する。例えば、ユーザ１ｂ，１ｃは、第三者のユーザＩＤを選択し、接続の要求を入力するために定められたキーを押すことにより、接続の要求を入力する。
【００３４】
ユーザ１ｂ，１ｃは、多数ユーザ接続サーバ２０から提供された第三者情報を確認し、第三者情報に基づいて第三者端末との接続を要求するか否かを決定できる。例えば、ユーザ１ｂ，１ｃは、第三者端末の通信状態が待ち受け中の場合、第三者の状態が暇や帰宅中のように、通信に招待しても第三者に迷惑をかけないと判断できる場合、第三者端末が備える通信手段が通信中の通信に使用している通信手段と一致する場合、通信中ユーザや相手ユーザの近くに第三者が位置する場合に、第三者端末との接続を要求すると決定し、接続の要求を入力部１２ｂ，１２ｃに入力する。一方、ユーザ１ｂ，１ｃは、第三者端末の通信状態が通信中や圏外の場合、第三者の状態が会議中や食事中のように、通信に招待すると第三者に迷惑をかけてしまうおそれがある場合、第三者端末が備える通信手段が通信中の通信に使用している通信手段と一致しない場合、通信中ユーザや相手ユーザから離れた場所に第三者が位置する場合に、第三者端末との接続を要求しないと決定する。
【００３５】
更に、ユーザ１ｂ，１ｃは、第三者となった場合に、通信中端末との接続の可否の問い合わせに対して接続を承諾するときに、入力部１２ｂ，１２ｃに対して接続の承諾を入力する。例えば、ユーザ１ｂ，１ｃは、問い合わせの中にある選択肢の中から、接続の承諾を選択することにより、接続の承諾を入力する。ユーザ１ｂ，１ｃは、接続を拒否するときには、入力部１２ｂ，１２ｃに対して接続の拒否を入力する。ユーザ１ｂ，１ｃは、多数ユーザ接続サーバ２０からの問い合わせに含まれる通信情報を確認し、通信情報に基づいて通信中端末との接続を承諾するか拒否するかを判断できる。
【００３６】
更に、ユーザ１ｂ，１ｃは、通信中ユーザや相手ユーザのユーザ情報を確認したい場合には、通信中ユーザや相手ユーザを指定して、ユーザ情報の提供の要求を入力部１２ｂ，１２ｃに入力する。そして、ユーザ１ｂ，１ｃは、多数ユーザ接続サーバ２０から提供されたユーザ情報を確認し、通信中ユーザや相手ユーザのユーザ情報に基づいて通信中端末との接続を承諾するか否かを判断できる。又、ユーザ１ｂ，１ｃは、入力部１２ｂ，１２ｃを用いて、ユーザＩＤ、ユーザ情報、提供条件などを入力する。
【００３７】
音声出力部１３ｂ，１３ｃは、音声により情報を出力する。表示部１４ｂ，１４ｃは、文字や画像により情報を表示する。音声出力部１３ｂ，１３ｃ、表示部１４ｂ，１４ｃは、通信部１１ｂ，１１ｃが受信した第三者情報や問い合わせ、参加者通知、入力部１２ｂ，１２ｃからの入力内容などを、制御部１６ｂ，１６ｃから取得し、出力したり、表示したりする。記憶部１５ｂ，１５ｃは、ユーザＩＤやユーザ情報などを記憶する。
【００３８】
制御部１６ｂ，１６ｃは、移動機１０ｂ，１０ｃを制御する。制御部１６ｂ，１６ｃは、移動機が通信中端末となったときに、通信中に第三者情報の提供を要求する第三者情報要求手段として機能する。制御部１６ｂ，１６ｃは、通信中に、第三者情報提供要求を作成して通信部１１ｂ，１１ｃに入力し、多数ユーザ接続サーバ２０に送信するよう指示することにより、第三者情報の提供を要求する。
【００３９】
制御部１６ｂ，１６ｃは、ユーザ１ｂ，１ｃの要求に従って、通信中に第三者情報の提供を要求する。制御部１６ｂ，１６ｃは、入力部１２ｂ，１２ｃから第三者情報の提供の要求を取得すると、指定された第三者のユーザＩＤを含む第三者情報提供要求を作成して通信部１１ｂ，１１ｃに入力する。又、制御部１６ｂ，１６ｃは、通信中に、通信中ユーザが属するグループのメンバで第三者に該当するユーザや、予め定めた特定ユーザで第三者に該当するユーザの第三者情報の提供を要求してもよい。この場合、制御部１６ｂ，１６ｃは、記憶部１５ｂ，１５ｃから、相手ユーザを除くメンバのユーザＩＤや、相手ユーザを除く特定ユーザのユーザＩＤを取得し、取得したユーザＩＤを含む第三者情報提供要求を作成して通信部１１ｂ，１１ｃに入力する。
【００４０】
制御部１６ｂ，１６ｃは、まず、第三者情報提供要求としてリスト要求を作成して通信部１１ｂ，１１ｃに入力する。その後、制御部１６ｂ，１６ｃは、入力部１２ｂ，１２ｃから、詳細情報の提供の要求を取得し、第三者情報要求として詳細情報要求を作成して通信部１１ｂ，１１ｃに入力する。
【００４１】
更に、制御部１６ｂ，１６ｃは、移動機が通信中端末となったときに、通信中に通信制御装置に第三者端末との接続を要求する接続要求手段として機能する。制御部１６ｂ，１６ｃは、通信中に、第三者端末に対して発信するよう通信部１１ｂ，１１ｃに指示することにより、第三者端末との接続を要求する。この場合、制御部１６ｂ，１６ｃは、交換機４０を介して、多数ユーザ接続サーバ２０に第三者端末との接続を要求することになる。あるいは、制御部１６ｂ，１６ｃは、通信中に、接続要求を作成して通信部１１ｂ，１１ｃに入力し、多数ユーザ接続サーバ２０に送信するよう指示することにより、第三者端末との接続を要求する。このようにして、移動機１０ｂ，１０ｃは、通信中に第三者を通信に招待する。
【００４２】
制御部１６ｂ，１６ｃは、第三者情報に基づいたユーザ１ｂ，１ｃの要求に従って、通信中に第三者端末との接続を要求する。制御部１６ｂ，１６ｃは、入力部１２ｂ，１２ｃから接続の要求を取得すると、指定された第三者のユーザＩＤに発信し、第三者端末に対して発信する。あるいは、制御部１６ｂ，１６ｃは、指定された第三者のユーザＩＤを含む接続要求を作成して通信部１１ｂ，１１ｃに入力する。
【００４３】
又、制御部１６ｂ，１６ｃは、接続を要求するための要求基準と第三者情報に従って、通信中に第三者端末との接続を要求してもよい。例えば、第三者端末の通信状態が待ち受け中の場合、第三者の状態が暇や帰宅中のように、通信に招待しても第三者に迷惑をかけないと考えられる状態の場合、第三者端末が備える通信手段が通信中の通信に使用している通信手段と一致する場合、通信中ユーザや相手ユーザの近くに第三者が位置する場合に、第三者端末との接続を要求するといった要求基準を定めることができる。要求基準は、記憶部１５ｂ，１５ｃに格納しておく。制御部１６ｂ，１６ｃは、記憶部１５ｂ，１５ｃから要求基準を取得し、受信した第三者情報と比較する。制御部１６ｂ，１６ｃは、要求基準と一致する第三者情報がある場合には、一致する第三者のユーザＩＤに発信し、第三者端末に対して発信する。あるいは、制御部１６ｂ，１６ｃは、一致する第三者のユーザＩＤを含む接続要求を作成して通信部１１ｂ，１１ｃに入力する。
【００４４】
又、制御部１６ｂ，１６ｃは、移動機が第三者端末となったときに、通信中端末との接続の可否の問い合わせに対して応答する。制御部１６ｂ，１６ｃは、入力部１２ｂ，１２ｃから接続の承諾や拒否を取得すると、承諾通知や拒否通知を作成して通信部１１ｂ，１１ｃに入力し、多数ユーザ接続サーバ２０に送信するよう指示することにより、問い合わせに対して応答する。尚、制御部１６ｂ，１６ｃは、問い合わせを受けた際に、入力部１２ｂ，１２ｃからユーザ情報の提供の要求を取得した場合には、指定された通信中ユーザや相手ユーザのユーザＩＤを含むユーザ情報提供要求を作成して通信部１１ｂ，１１ｃに入力し、多数ユーザ接続サーバ２０に送信するよう指示する。
【００４５】
更に、制御部１６ｂ，１６ｃは、入力部１２ｂ，１２ｃや記憶部１５ｂ，１５ｃから、ユーザ１ｂ，１ｃ自身のユーザＩＤ、ユーザ情報、提供条件を取得する。制御部１６ｂ，１６ｃは、取得したユーザ１ｂ，１ｃのユーザＩＤにユーザ１ｂ，１ｃのユーザ情報を対応付けてユーザ情報登録要求を作成する。又、制御部１６ｂ，１６ｃは、取得したユーザ１ｂ，１ｃのユーザＩＤにユーザ１ｂ，１ｃの提供条件を対応付けて提供条件通知を作成する。そして、制御部１６ｂ，１６ｃは、作成したユーザ情報登録要求や提供条件通知を通信部１６ｂ，１６ｃに入力し、多数ユーザ接続サーバ２０に送信するよう指示する。
【００４６】
又、制御部１６ｂ，１６ｃは、通信部１１ｂ，１１ｃから、通信部１１ｂ，１１ｃが受信した第三者状態リストや詳細情報といった第三者情報、通信中端末との接続の可否の問い合わせ、通信中ユーザや相手ユーザのユーザ情報、参加者通知を取得し、音声出力部１３ｂ，１３ｃや、表示部１４ｂ，１４ｃに入力する。又、制御部１６ｂ，１６ｃは、通信部１１ｂ，１１ｃが受信した情報や、入力部１２ｂ，１２ｃから取得した入力内容を記憶部１５ｂ，１５ｃに格納する。
【００４７】
ネットワーク３０は、無線アクセスネットワークやコアネットワークを含む。  交換機４０は、インタフェース４１と、記憶部４２と、制御部４３とを備える。インタフェース４１は、移動機１０ａ，１０ｂ，１０ｃや多数ユーザ接続サーバ２０と通信する。
【００４８】
インタフェース４１は、通信中端末から第三者端末に発信された呼を受信すると、制御部４３に入力する。そして、インタフェース４１は、制御部４３から接続確認要求を取得し、多数ユーザ接続サーバ２０に送信する。接続確認要求は、多数ユーザ接続サーバ２０に、第三者端末との接続を要求する通信中端末と、第三者端末とを接続してもよいか否かを確認するものであり、通信中ユーザと第三者のユーザＩＤを含む。
【００４９】
又、インタフェース４１は、多数ユーザ接続サーバ２０から着信や発呼、着信中止の指示を受信し、制御部４３に入力する。インタフェース４１は、制御部４３の指示に従って、通信中端末から発信された呼を第三者端末に着信させる。あるいは、インタフェース４１は、制御部４３の指示に従って、通信中端末及び第三者端末に対する呼を発生させ、発生させた呼を通信中端末及び第三者端末に着信させる。その後、インタフェース４１は、通信中端末と相手端末と第三者端末との通信を接続する。図１では、インタフェース４１は、移動機１０ｂからの呼を移動機１０ｃに着信させる。図２では、インタフェース４１は、移動機１０ｂと移動機１０ｃに対する呼を発生させ、発生させた呼を移動機１０ｂと移動機１０ｃに着信させる。その後、インタフェース４１は、移動機１０ａと移動機１０ｂと移動機１０ｃとの間の音声通話を接続する。又、インタフェース４１は、制御部４３の着信中止の指示に従って、通信中端末から発信された呼を第三者端末に着信させずに、破棄する。
【００５０】
更に、インタフェース４１は、制御部４３から状態通知を取得し、多数ユーザ接続サーバ２０に送信する。状態通知は、ユーザの状態を多数ユーザ接続サーバ２０に通知するものであり、ユーザのユーザＩＤに対応付けられたユーザの状態を含む。交換機４０は、ユーザの状態としてユーザの位置、通信状態を通知する。記憶部４２は、ユーザの状態をユーザＩＤに対応付けて記憶する。
【００５１】
制御部４３は、交換機４０を制御する。制御部４３は、インタフェース４１から、通信中端末から第三者端末に発信された呼を取得する。制御部４３は、取得した呼に含まれる通信中ユーザと第三者のユーザＩＤを含む接続確認要求を作成してインタフェース４１に入力し、多数ユーザ接続サーバ２０に送信するよう指示する。
【００５２】
又、制御部４３は、インタフェース４１から、多数ユーザ接続サーバ２０からの着信や発呼、着信中止の指示を取得する。制御部４３は、取得した指示に従って、インタフェース４１に、通信中端末からの呼を第三者端末に着信させるよう指示したり、通信中端末からの呼を第三者端末に着信させずに破棄するよう指示したりする。あるいは、制御部４３は、インタフェース４１に、通信中端末及び第三者端末に対する呼を発生させ、発生させた呼を通信中端末及び第三者端末に着信させるよう指示する。着信を指示した後、制御部４３は、インタフェース４１が接続する通信中端末と相手端末と第三者端末との通信を制御する。
【００５３】
更に、制御部４３は、ユーザの状態を検出する。例えば、制御部４３は、インタフェース４１が移動機１０ａ〜１０ｃから受信する位置等録要求に基づいて、位置を検出する。制御部４３は、インタフェース４１が移動機１０ａ〜１０ｃから受信するローミングアウトの通知やローミングインの通知に基づいて、ローミング状態を検出する。制御部４３は、インタフェース４１が送信するページング要求（一斉呼び出し）に対する移動機１０ａ〜１０ｃからのページング応答の有無に基づいて、圏内か、圏外又は電源オフの状態かを検出する。制御部４３は、インタフェース４１が通信を接続しているか否か、接続している通信の内容などに基づいて、通話中、待ち受け中、圏外又は電源オフのいずれの状態か、通信中の場合には、その通信中ユーザや相手ユーザ、使用している通信手段などを検出する。
【００５４】
制御部４３は、検出したユーザの状態をユーザＩＤに対応付けて状態通知を作成し、インタフェース４１に入力する。制御部４３は、状態の変化を検出した際に状態通知を作成してもよく、定期的に状態通知を作成してもよい。制御部４３は、検出した状態と記憶部４２に記憶された状態を比較することにより、状態の変化を検出できる。制御部４３は、検出した状態を、ユーザＩＤに対応付けて記憶部４２に格納する。
【００５５】
多数ユーザ接続サーバ２０は、ユーザ情報データベース２１と、公開メンバデータベース２２と、ネットワークインタフェース２３と、登録部２４と、制御部２５とを備える。ユーザ情報データベース２１は、ユーザ情報を記憶する。そして、ユーザ１ａ〜１ｃが第三者となったときに、ユーザ情報データベース２１に記憶されているユーザ１ａ〜１ｃのユーザ情報が第三者情報として使用される。このようにして、ユーザ情報データベース２１は、第三者に関する第三者情報を記憶する第三者情報記憶手段として機能する。又、ユーザ１ａ〜１ｃが通信中ユーザや相手ユーザとなったときには、ユーザ情報データベース２１に記憶されているユーザ１ａ〜１ｃのユーザ情報は、通信中ユーザや相手ユーザに関するユーザ情報として使用される。ユーザ情報データベース２１は、ユーザＩＤに対応付けてユーザ情報を記憶する。
【００５６】
本実施形態では、ユーザ情報データベース２１は、ユーザ情報として、ユーザの名前、メールアドレス、ユーザが属するグループ、移動機が備える通信手段の種類、ユーザの状態を記憶する。ユーザ情報データベース２１は、音声通信が可能な通信手段を「音声通話」、動画像通信が可能な通信手段を「テレビ電話」と記憶し、移動機がその通信手段を備える場合には「ＯＫ」、移動機が備えない場合には「ＮＧ」と記憶する。尚、本実施形態では、全ての移動機１０ａ〜１０ｃが、データ通信が可能であるため、ユーザ情報データベース２１は、データ通信が可能な通信手段を備えるか否かについては記憶していない。データ通信が可能な移動機と可能でない移動機が混在する通信システムでは、データ通信が可能な通信手段を備えるか否かについても記憶する。
【００５７】
更に、ユーザ情報データベース２１は、ユーザの状態を、「通信状態」、「位置」、その他の状態を示す「その他」に分けて記憶する。ユーザ情報データベース２１は、通信状態として、通信中、待ち受け中、圏外又は電源オフのいずれかを記憶する。通信中の場合には使用している通信手段を含めて、「音声通話中」、「テレビ電話中」のように記憶する。更に、相手ユーザのユーザＩＤも記憶する。又、圏外又は電源オフはまとめて「圏外」と記憶する。
【００５８】
例えば、ユーザ情報データベース２１は、ユーザ１ｃのユーザＩＤ「０９０−１１１１−１１１１」に対応付けて、ユーザ１ｃのユーザ情報として、名前「ボブ」、メールアドレス「ｂｏｂ＠ｄｏｃｏｍｏ．ｎｅ．ｊｐ」、グループ「家族」、通信手段「音声通話ＯＫ、ＴＶ電話ＮＧ」、通信状態「待ち受け中」、位置「東京」、その他「暇」を記憶する。又、ユーザ情報データベース２１は、ユーザ１ｂのユーザＩＤ「０９０−２２２２−２２２２」に対応付けて、ユーザ１ｂのユーザ情報として、ユーザ名「ナンシー」、メールアドレス「Ｎａｎｃｙ＠ｄｏｃｏｍｏ．ｎｅ．ｊｐ」、グループ「家族」、通信手段「音声通話ＯＫ、ＴＶ電話ＯＫ」、通信状態「音声通話中：０９０−３３３３−３３３３」、位置「横浜」、その他「帰宅中」を記憶する。更に、ユーザ情報データベース２１は、ユーザ１ａのユーザＩＤ「０９０−３３３３−３３３３」に対応付けて、ユーザ１ａのユーザ情報として、ユーザ名「トム」、メールアドレス「Ｔｏｍ＠ｄｏｃｏｍｏ．ｎｅ．ｊｐ」、グループ「家族」、通信手段「音声通話ＯＫ、ＴＶ電話ＯＫ」、通信状態「音声通話中：０９０−２２２２−２２２２」、位置「横浜」、その他「食事中」を記憶する。
【００５９】
公開メンバデータベース２２は、第三者情報の提供条件を記憶する提供条件記憶手段である。公開メンバデータベース２２は、ユーザ情報の提供を許可するユーザやグループを指定した提供条件を記憶する。公開メンバデータベース２２は、提供を許可する側のユーザのユーザＩＤに対応付けて、公開メンバであるユーザのユーザＩＤや、グループのグループ名やグループＩＤを記憶する。例えば、公開メンバデータベースは、ユーザ１ｃのユーザＩＤ「０９０−１１１１−１１１１」に対応付けて、ユーザ１ｃのユーザ情報の提供が許可されている公開メンバのユーザ１ｂのユーザＩＤ「０９０−２２２２−２２２２」と、ユーザ１ａのユーザＩＤ「０９０−３３３３−３３３３」を記憶する。
【００６０】
ネットワークインタフェース２３は、交換機４０や、ネットワーク３０を介して移動機１０ａ〜１０ｃと通信する。ネットワークインタフェース２３は、通信中端末から、リスト要求や詳細情報要求のような第三者情報提供要求、接続要求を受信し、制御部２５に入力する。ネットワークインタフェース２３は、第三者端末から、承諾通知や拒否通知、ユーザ情報提供要求を受信し、制御部２５に入力する。ネットワークインタフェース２３は、交換機４０から接続確認要求を受信し、制御部２５に入力する。
【００６１】
ネットワークインタフェース２３は、第三者状態リストや詳細情報のような第三者情報、拒否結果通知を制御部２５から取得し、通信中端末に送信する。ネットワークインタフェース２３は、通信中端末との接続の可否の問い合わせ、通信中ユーザや相手ユーザのユーザ情報を制御部２５から取得し、第三者端末に送信する。ネットワークインタフェース２３は、参加者通知を制御部２５から取得し、相手端末に送信する。ネットワークインタフェース２３は、制御部２５から、交換機４０に対する着信や発呼、着信中止の指示を取得し、交換機４０に送信する。
【００６２】
ネットワークインタフェース２３は、移動機１０ａ〜１０ｃから、ユーザ情報登録要求、提供条件通知を受信し、登録部２４に入力する。ネットワークインタフェース２３は、交換機４０から状態通知を受信し、登録部２４に入力する。
【００６３】
図１、図２に示すように、ネットワークインタフェース２３は、第三者情報提供要求や接続要求を通信中端末である移動機１０ｂからデータ通信により受信し、第三者情報を移動機１０ｂにデータ通信により送信する。ネットワークインタフェース２３は、通信中端末との接続の可否の問い合わせや、通信中ユーザや相手ユーザのユーザ情報を、第三者端末である移動機１０ｃにデータ通信により送信し、承諾通知やユーザ情報提供要求を移動機１０ｃからデータ通信により受信する。ネットワークインタフェース２３は、参加者通知を相手端末である移動機１０ａにデータ通信により送信する。又、図示を省略しているが、ネットワークインタフェース２３は、移動機１０ａ〜１０ｃから、ユーザ情報登録要求、提供条件通知をデータ通信により受信する。
【００６４】
ネットワークインタフェース２３は、第三者情報、問い合わせ、通信中ユーザや相手ユーザのユーザ情報、参加者通知を、例えば、ＵＳＳＤ（Unstructured  Supplementary  Services  Data）として、移動機１０ａ〜１０ｃに送信する。これによれば、多数ユーザ接続サーバ２０が移動機１０ａ〜１０ｃのメールアドレスを把握していない場合であっても移動機１０ａ〜１０ｃに情報を送信できる。ネットワークインタフェース２３は、ＨＴＴＰ（HyperText  Transfer  Protocol）により、第三者情報やユーザ情報、問い合わせ、参加者通知を移動機１０ａ〜１０ｃに送信してもよい。
【００６５】
登録部２４は、ユーザ情報をユーザ情報データベース２１に登録する。登録部２４は、ネットワークインタフェース２３からユーザ情報登録要求を取得する。登録部２４は、ユーザ情報登録要求に含まれるユーザ情報を、ユーザ情報登録要求に含まれるユーザＩＤに対応付けてユーザ情報データベース２１に格納する。又、登録部２４は、提供条件を公開メンバデータベース２２に登録する。登録部２４は、ネットワークインタフェース２３から提供条件通知を取得する。登録部２４は、提供条件通知に含まれる公開メンバを、提供条件通知に含まれる提供を許可する側のユーザのユーザＩＤに対応付けて公開メンバデータベース２２に格納する。
【００６６】
登録部２４は、取得したユーザ情報登録要求や提供条件通知に含まれるユーザＩＤが既にユーザ情報データベース２１や公開メンバデータベース２２に登録されている場合には、新たなユーザ情報や公開メンバを、ユーザ情報データベース２１や公開メンバデータベース２２に格納して、更新する。登録部２４は、更新が必要なユーザ情報だけを含むユーザ情報登録要求を取得した場合には、更新が必要なユーザ情報だけを新たにユーザ情報データベース２１に格納して、更新すればよい。
【００６７】
又、登録部２４は、ネットワークインタフェース２３から、状態通知を取得する。登録部２４は、状態通知に含まれる状態を、状態通知に含まれるユーザＩＤに対応付けてユーザ情報データベース２１に格納する。このとき、登録部２４は、例えば、移動機１０ａ〜１０ｃからのユーザ情報登録要求に基づく状態が格納されていない場合にだけ、交換機４０からの状態通知に含まれる状態を格納するようにし、ユーザ１ａ〜１ｃからの状態の通知を優先するようにしてもよい。又、登録部２４は、ユーザ情報登録要求に含まれる状態と、状態通知に含まれる状態の両方を並列して、ユーザ情報データベース２１に格納してもよい。更に、登録部２４は、状態通知に含まれるユーザＩＤがユーザ情報データベース２１にない場合には、状態を格納しないようにし、交換機４０からの状態通知は、既にユーザ情報を登録しているユーザのユーザ情報の更新にのみ利用するようにしてもよい。
【００６８】
制御部２５は、多数ユーザ接続サーバ２０を制御する。制御部２５は、通信中端末からの第三者情報提供要求に基づいて、第三者情報を通信中端末に提供する第三者情報提供手段として機能する。制御部２５は、通信中ユーザに基づいて第三者情報の提供を制限する。制御部２５は、ネットワークインタフェース２３から第三者情報提供要求を取得する。制御部２５は、取得した第三者情報提供要求に含まれる第三者のユーザＩＤに基づいて公開メンバデータベース２２を検索し、通信中ユーザに対する提供条件を確認する。
【００６９】
具体的には、制御部２５は、まず、第三者情報提供要求として、通信中ユーザであるユーザ１ｂのユーザＩＤ「０９０−２２２２−２２２２」と、第三者であるユーザ１ｃのユーザＩＤ「０９０−１１１１−１１１１」と、他の第三者であるユーザＡ及びユーザＢのユーザＩＤを含むリスト要求を、ネットワークインタフェース２３から取得する。制御部２５は、図１、図２に示すように、公開メンバデータベース２２において、ユーザ１ｃのユーザＩＤ「０９０−１１１１−１１１１」に対応付けて登録されている公開メンバを確認する。制御部２５は、ユーザ１ｂのユーザＩＤ「０９０−２２２２−２２２２」が公開メンバに含まれているため、ユーザ１ｂは、第三者情報となるユーザ１ｃのユーザ情報の提供が許可されていることを確認する。制御部２５は、同様に、ユーザＡ及びユーザＢのユーザＩＤに対応付けられている公開メンバを確認する。その結果、制御部２５は、ユーザ１ｂは、第三者情報となるユーザＡのユーザ情報の提供は許可されているが、ユーザＢのユーザ情報の提供は許可されていないことを確認したとする。
【００７０】
制御部２５は、通信中ユーザに対して第三者情報の提供を許可している第三者のユーザＩＤに基づいてユーザ情報データベース２１を検索し、ユーザ情報データベース２１から第三者のユーザ情報を第三者情報として取得する。そして、制御部２５は、取得した第三者情報をネットワークインタフェース２３に入力し、第三者情報提供要求に含まれる通信中端末のユーザＩＤである電話番号を用いて通信中端末に送信するよう指示することにより、第三者情報を通信中端末に提供する。尚、制御部２５は、第三者情報提供要求に含まれる通信中端末のユーザＩＤに基づいて、ユーザ情報データベース２１から通信中端末のメールアドレスを取得し、ネットワークインタフェース２３にメールアドレスを用いて通信中端末に送信するよう指示してもよい。制御部２５は、このようにして、通信中ユーザに基づいて第三者情報の提供を制限する。そのため、多数ユーザ接続サーバ２０は、第三者が第三者情報の提供を希望しない通信中ユーザのような、第三者情報の提供が許可されていない通信中ユーザへの第三者情報の提供を防止できる。
【００７１】
具体的には、制御部２５は、ユーザ１ｂに対してユーザ情報の提供を許可しているユーザ１ｃのユーザＩＤ「０９０−１１１１−１１１１」に対応付けて登録されているユーザ情報を、ユーザ情報データベース２１から取得する。制御部２５は、まず、第三者状態リストに必要なユーザ１ｃの名前「ボブ」、通信状態「待ち受け中」、その他の状態「暇」を取得する。制御部２５は、ユーザＡのユーザ情報も同様にして取得する。制御部２５は、取得したユーザ情報に基づいて、第三者状態リストを作成し、ネットワークインタフェース２３に入力する。その結果、制御部２５は、図３（ａ）に示すようなユーザ１ｃの名前「ボブ」、通信状態「待ち受け中」、その他の状態「暇」と、ユーザＡの名前「Ａさん」、通信状態「圏外」、その他の状態「会議中」を含む第三者状態リストを移動機１０ｂに提供できる。そして、第三者状態リストが表示部１４ｂに表示される。このように、制御部２５は、ユーザ１ｂにユーザ情報の提供を許可していないユーザＢのユーザ情報は、移動機１０ｂに提供しない。又、制御部２５は、複数の第三者に関する第三者情報を提供でき、移動機１０ｂは、複数の第三者に関する第三者情報を取得することができる。
【００７２】
ユーザ１ｂは、ユーザＡは、圏外であることや会議中であることから、この時点で通信に招待しないことを決定する。そして、ユーザ１ｂは、ユーザ１ｃに関する詳細情報だけを要求する。制御部２５は、第三者情報提供要求として、ユーザ１ｃのユーザＩＤを含む詳細情報要求を、ネットワークインタフェース２３から取得する。制御部２５は、ユーザ１ｃのユーザＩＤ「０９０−１１１１−１１１１」に対応付けて登録されている詳細情報に必要なユーザ１ｃの名前「ボブ」、通信状態「待ち受け中」、位置「東京」、その他の状態「暇」、通信手段の種類「音声電話ＯＫ、ＴＶ電話ＮＧ」を、ユーザ情報データベース２１から取得する。
【００７３】
制御部２５は、取得したユーザ情報に基づいて、詳細情報を作成し、ネットワークインタフェース２３に入力する。その結果、制御部２５は、図３（ｂ）に示すようなユーザ１ｃの名前「ボブ」、通信状態「待ち受け中」、位置「東京」、その他の状態「暇」、通信手段の種類「音声電話ＯＫ、ＴＶ電話ＮＧ」を含む詳細情報を移動機１０ｂに提供できる。そして、詳細情報が表示部１４ｂに表示される。このように、制御部２５は、第三者情報として、第三者の状態、又は、第三者端末が備える通信手段の種類の少なくとも１つを提供することが好ましい。これによれば、通信中ユーザは、提供された第三者の状態や第三者端末が備える通信手段の種類に基づいて、第三者を通信に招待するか否かを判断できる。
【００７４】
更に、制御部２５は、通信中端末による第三者端末との接続の要求に基づいて、通信中端末と第三者端末との接続を制御する接続制御手段として機能する。制御部２５は、接続の要求に基づいて通信中端末との接続の可否を第三者端末に問い合わせ、その問い合わせに対する第三者端末からの応答に基づいて接続を制御する。更に、制御部２５は、問い合わせを行う際に通信中端末が行っている通信に関する通信情報を、第三者端末に提供する
通信中端末が第三者端末に対して発信することにより、第三者端末との接続を要求する場合には、制御部２５は、交換機４０から送信される通信中ユーザと第三者のユーザＩＤを含む接続確認要求を、ネットワークインタフェース２３から取得する。制御部２５は、通信中端末が接続要求を送信することにより、第三者端末との接続を要求する場合には、通信中端末から送信される通信中ユーザと第三者のユーザＩＤを含む接続要求を、ネットワークインタフェース２３から取得する。
【００７５】
制御部２５は、まず、取得した接続確認要求、接続要求に基づいて、第三者端末に対する通信中端末との接続の可否の問い合わせを作成する。制御部２５は、接続確認要求や接続要求に含まれる通信中ユーザのユーザＩＤに基づいて、ユーザ情報データベース２１から、通信中ユーザが行っている通信に関する通信情報を取得する。制御部２５は、例えば、使用している通信手段、通信メンバ、通信メンバが属するグループなどを取得する。制御部２５は、取得した通信情報を含み、通信中端末との接続の可否を問い合わせる問い合わせを作成する。制御部２５は、作成した問い合わせをネットワークインタフェース２３に入力し、接続確認要求や接続要求に含まれる第三者端末のユーザＩＤである電話番号を用いて第三者端末に送信するよう指示する。尚、制御部２５は、接続確認要求や接続要求に含まれる第三者端末のユーザＩＤに基づいて、ユーザ情報データベース２１から第三者端末のメールアドレスを取得し、ネットワークインタフェース２３にメールアドレスを用いて第三者端末に送信するよう指示してもよい。このようにして、制御部２５は、通信情報を含む問い合わせを作成することにより、問い合わせを行う際に通信中端末が行っている通信に関する通信情報を、第三者端末に提供する。
【００７６】
次に、制御部２５は、第三者端末からユーザ情報提供要求があった場合には、ユーザ情報提供要求に基づいて、通信中ユーザや相手ユーザのユーザ情報を第三者端末に提供する。制御部２５は、第三者に基づいて通信中ユーザや相手ユーザに関する情報の提供を制限する。制御部２５は、ネットワークインタフェース２３からユーザ情報提供要求を取得する。制御部２５は、取得したユーザ情報提供要求に含まれる通信中ユーザや相手ユーザのユーザＩＤに基づいて公開メンバデータベース２２を検索し、第三者に対する提供条件を確認する。制御部２５は、第三者に対してユーザ情報の提供を許可している通信中ユーザや相手ユーザのユーザＩＤに基づいてユーザ情報データベース２１を検索し、ユーザ情報データベース２１から通信中ユーザや相手ユーザのユーザ情報を取得する。そして、制御部２５は、取得したユーザ情報をネットワークインタフェース２３に入力し、第三者端末に送信するよう指示することにより、通信中ユーザや相手ユーザのユーザ情報を第三者端末に提供する。
【００７７】
そして、制御部２５は、第三者端末から送信される承諾通知や拒否通知を、ネットワークインタフェース２３から取得する。制御部２５は、承諾通知を取得した場合、通信中端末が第三者端末に対して発信することにより第三者端末との接続を要求しているときには、通信中端末から発信された呼を第三者端末に着信させるように交換機４０に指示する。又、通信中端末が接続要求を送信することにより第三者端末との接続を要求しているときには、通信中端末及び第三者端末に対する呼を発生させ、発生させた呼を通信中端末及び第三者端末に着信させるように交換機４０に指示する。
【００７８】
一方、制御部２５は、拒否通知を取得した場合、通信中端末が第三者端末に対して発信することにより第三者端末との接続を要求しているときには、通信中端末から発信された呼の着信の中止を交換機４０に指示する。制御部２５は、着信や発呼の指示、着信中止の指示を作成してネットワークインタフェース２３に入力し、交換機４０に送信するよう指示することにより、交換機４０に対して着信や発呼、着信中止を指示する。このようにして、制御部２５は、通信中端末と第三者端末との接続を制御する。
【００７９】
更に、制御部２５は、承諾通知を取得した場合には、相手端末に対する参加者通知を作成してネットワークインタフェース２３に入力し、相手端末に送信するよう指示する。又、制御部２５は、拒否通知を取得した場合には、通信中端末に対する拒否結果通知を作成してネットワークインタフェース２３に入力し、通信中端末に送信するよう指示する。
【００８０】
具体的には、図１、図２に示すように、移動機１０ａと音声通話中の移動機１０ｂが、移動機１０ｃとの接続を要求し、移動機１０ｃを音声通話に招待する。図１の場合、制御部２５は、交換機４０からの接続確認要求を、ネットワークインタフェース２３から取得する。図２の場合、制御部２５は、移動機１０ｂからの接続要求を、ネットワークインタフェース２３から取得する。接続確認要求、接続要求には、通信中ユーザであるユーザ１ｂのユーザＩＤ「０９０−２２２２−２２２２」と、第三者であるユーザ１ｃのユーザＩＤ「０９０−１１１１−１１１１」が含まれる。制御部２５は、ユーザ１ｂのユーザＩＤ「０９０−２２２２−２２２２」に基づいて、ユーザ情報データベース２１から、通信中ユーザの名前「ナンシー」、グループ「家族」、通信状態「音声通話中：０９０−３３３３−３３３３」を取得する。制御部２５は、通信状態に含まれる相手ユーザのユーザＩＤ「０９０−３３３３−３３３３」に基づいて、相手ユーザの名前「トム」、グループ「家族」をユーザ情報データベース２１から取得する。
【００８１】
そして、制御部２５は、通信中端末と接続して、多数ユーザによる通信を行うことを要求する「多数ユーザ通信要求」を問い合わせとして作成し、ネットワークインタフェース２３に入力する。多数ユーザ通信要求は、ユーザ１ｂが行っている通信に関する通信情報として、使用している通信手段「音声通話」、通信メンバ「トム、ナンシー」、通信メンバが属するグループ「家族」を含む。更に、多数ユーザ通信要求は、通信中ユーザや相手ユーザの詳細なユーザ情報を要求する「情報を見る」、通信中端末との接続を承諾して承諾通知を送信する「接続する」、通信中端末との接続を拒否して拒否通知を送信する「お断りする」という３つの選択肢を含む。その結果、制御部２５は、図４（ａ）に示すような通信手段「音声通話」、通信メンバ「トム、ナンシー」、グループ「家族」、３つの選択肢「情報を見る」、「接続する」、「お断りする」を含む多数ユーザ通信要求を移動機１０ｃに提供できる。そして、多数ユーザ通信要求が表示部１４ｃに表示される。
【００８２】
ユーザ１ｃが「情報を見る」を選択すると、制御部２５は、第三者であるユーザ１ｃのユーザＩＤと、通信中ユーザであるユーザ１ｂのユーザＩＤ、相手ユーザであるユーザ１ａのユーザＩＤを含むユーザ情報提供要求を、ネットワークインタフェース２３から取得する。制御部２５は、公開メンバデータベース２２において、ユーザ１ａ，１ｂのユーザＩＤに対応付けて登録されている公開メンバを確認する。制御部２５は、ユーザ１ｃのユーザＩＤが公開メンバに含まれており、ユーザ１ｃが、ユーザ１ａ，１ｂのユーザ情報の提供が許可されていることを確認できる場合には、ユーザ１ａ，１ｂのユーザ情報をユーザ１ｃに提供する。
【００８３】
制御部２５は、ユーザ１ｂのユーザＩＤ「０９０−２２２２−２２２２」に対応付けて登録されているユーザ１ｂの名前「ナンシー」、通信状態「音声通話中」、位置「横浜」、その他の状態「帰宅中」、通信手段の種類「音声電話ＯＫ、ＴＶ電話ＯＫ」をユーザ情報データベース２１から取得する。制御部２５は、取得したユーザ情報に基づいて詳細情報を作成し、ネットワークインタフェース２３に入力する。その結果、制御部２５は、図４（ｂ）に示すようなユーザ１ｂの名前「ナンシー」、通信状態「音声通話中」、位置「横浜」、その他の状態「帰宅中」、通信手段の種類「音声電話ＯＫ、ＴＶ電話ＯＫ」を含む詳細情報を移動機１０ｃに提供できる。そして、詳細情報が表示部１４ｃに表示される。制御部２５は、ユーザ１ａのユーザ情報も同様にして提供する。
【００８４】
ユーザ１ａ，１ｂのユーザ情報を確認したユーザ１ｃが、招待を受け入れて参加することを決定し、「接続する」を選択すると、制御部２５は承諾通知をネットワークインタフェース２３から取得する。制御部２５は、図１に示すように、移動機１０ｂが移動機１０ｃに対して発信することにより移動機１０ｃとの接続を要求している場合には、移動機１０ｂから発信された呼を移動機１０ｃに着信させるように交換機４０に指示する。その結果、移動機１０ｂからの呼が移動機１０ｃに着信し、移動機１０ｂと移動機１０ｃとが接続する。そして、移動機１０ｃは、移動機１０ａと移動機１０ｂとの音声通話に参加する。
【００８５】
制御部２５は、図２に示すように、移動機１０ｂが多数ユーザ接続サーバ２０に対して接続要求を送信することにより移動機１０ｃとの接続を要求している場合には、移動機１０ｂ及び移動機１０ｃに対する呼を発生させ、発生させた呼を移動機１０ｂ及び移動機１０ｃに着信させるように交換機４０に指示する。その結果、移動機１０ｂ及び移動機１０ｃに呼が着信し、移動機１０ｂと移動機１０ｃとが接続する。そして、移動機１０ｃは、移動機１０ａと移動機１０ｂとの音声通話に参加する。又、制御部２５は、交換機４０に対する指示の前に、移動機１０ａに参加者を通知する。制御部２５は、ユーザ１ｃの名前など、参加者となった第三者の第三者情報を含む参加者通知を作成し、ネットワークインタフェース２３に入力する。
【００８６】
〔通信方法〕
図１に示したように、第三者端末への発信により第三者端末との接続を要求する場合の通信方法の手順を、図５を用いて説明する。まず、移動機１０ｂが、移動機１０ａに対して発信する（Ｓ１０１）。交換機４０は、移動機１０ｂからの呼を移動機１０ａに着信させる（Ｓ１０２）。移動機１０ａが、着信に対して応答する（Ｓ１０３）。交換機４０は、移動機１０ａからの応答を受けて、移動機１０ａと移動機１０ｂとの二者間の通話の制御を開始し（Ｓ１０４）、移動機１０ａと移動機１０ｂが音声通話を開始する（Ｓ１０５）。ステップ（Ｓ１０４）以降、点線で囲まれるように、ステップ（Ｓ１０４）〜（Ｓ１１８）は、移動機１０ａと移動機１０ｂとの音声通話中に行われる。
【００８７】
移動機１０ｂは、ユーザ１ｃを含む第三者に関する第三者情報の提供を要求する第三者情報提供要求を、多数ユーザ接続サーバ２０に送信する（Ｓ１０６）。多数ユーザ接続サーバ２０は、要求された第三者情報の提供が許可されている公開メンバを確認する（Ｓ１０７）。多数ユーザ接続サーバ２０は、ユーザ１ｂを公開メンバに含む第三者に関する第三者情報を移動機１０ｂに提供する（Ｓ１０８）。移動機１０ｂは、提供された第三者情報を確認し、移動機１０ｃを通話に招待することを決定する（Ｓ１０９）。尚、ステップ（Ｓ１０８）の後、移動機１０ｂは、多数ユーザ接続サーバ２０に対して、更にユーザ１ｃに関する詳細情報を要求してもよい。この場合、多数ユーザ接続サーバ２０は、第三者情報としてユーザ１ｃの詳細情報を移動機１０ｂに提供する。そして、移動機１０ｂは、ステップ（Ｓ１０９）に進み、提供されたユーザ１ｃの詳細情報を確認し、移動機１０ｃを招待することを決定してもよい。
【００８８】
移動機１０ｂは、移動機１０ｃに対して発信することにより、移動機１０ｃとの接続を要求する（Ｓ１１０）。交換機４０は、移動機１０ｂと移動機１０ｃとを接続してもよいか否かを確認する接続確認要求を、多数ユーザ接続サーバ２０に送信する（Ｓ１１１）。多数ユーザ接続サーバ２０は、移動機１０ａと移動機１０ｂが行っている音声通話に関する通信情報を含み、移動機１０ｂとの接続の可否を問い合わせる問い合わせを、例えばＨＴＴＰにより移動機１０ｃに送信する（Ｓ１１２）。移動機１０ｃは、問い合わせに含まれる通信情報を確認し、移動機１０ａと移動機１０ｂとの音声通話に参加することを決定する（Ｓ１１３）。尚、ステップ（Ｓ１１２）の後、移動機１０ｃは、多数ユーザ接続サーバ２０に対して、ユーザ１ａ，１ｂに関する詳細情報を要求してもよい。この場合、多数ユーザ接続サーバ２０は、ユーザ１ａ，１ｂに関する詳細情報を移動機１０ｃに提供する。そして、移動機１０ｃは、提供された詳細情報を確認し、音声通話に参加することを決定してもよい。
【００８９】
移動機１０ｃは、承諾通知を多数ユーザ接続サーバ２０に送信する（Ｓ１１４）。多数ユーザ接続サーバ２０は、移動機１０ａにユーザ１ｃが音声通話に参加することを通知する参加者通知を送信する（Ｓ１１５）。更に、多数ユーザ接続サーバ２０は、交換機４０に移動機１０ｂからの呼を移動機１０ｃに着信させるよう指示する（Ｓ１１６）。交換機４０は、移動機１０ｂからの呼を移動機１０ｃに着信させる（Ｓ１１７）。そして、移動機１０ｃが、着信に対して応答する（Ｓ１１８）。交換機４０は、移動機１０ｃからの応答を受けて、移動機１０ａと移動機１０ｂと移動機１０ｃとの三者間の通話の制御を開始し（Ｓ１１９）、移動機１０ｃは移動機１０ａと移動機１０ｂとの音声通話に参加する（Ｓ１２０）。以降、一点鎖線で囲まれるように、移動機１０ａと移動機１０ｂと移動機１０ｃとの音声通話が行われる。
【００９０】
次に、図２に示したように、多数ユーザ接続サーバ２０に接続要求を送信することにより、第三者端末との接続を要求する場合の通信方法の手順を、図６を用いて説明する。ステップ（Ｓ１０１）〜（Ｓ１０９）と同様のステップ（Ｓ２０１）〜（Ｓ２０９）が行われる。尚、ステップ（Ｓ２０４）以降、点線で囲まれるように、ステップ（Ｓ２０４）〜（Ｓ２２０）は、移動機１０ａと移動機１０ｂとの音声通話中に行われる。
【００９１】
ステップ（Ｓ２０９）に続き、移動機１０ｂは、移動機１０ｃとの接続を要求する接続要求を、例えばＨＴＴＰにより多数ユーザ接続サーバ２０に送信する（Ｓ２１０）。次に、ステップ（Ｓ１１２）〜（Ｓ１１５）と同様のステップ（Ｓ２１１）〜（Ｓ２１４）が行われる。更に、多数ユーザ接続サーバ２０は、交換機４０に、移動機１０ｂ及び移動機１０ｃに対する呼を発生させ、発生させた呼を移動機１０ｂ及び移動機１０ｃに着信させるよう指示する（Ｓ２１５）。
【００９２】
交換機４０は、移動機１０ｂ及び移動機１０ｃに対する呼を発生させる（Ｓ２１６）。交換機４０は、発生させた呼を移動機１０ｂ，１０ｃに着信させる（Ｓ２１７）、（Ｓ２１８）。そして、移動機１０ｂ，１０ｃが、着信に対して応答する（Ｓ２１９）、（Ｓ２２０）。交換機４０は、移動機１０ｂ，１０ｃからの応答を受けて、移動機１０ａと移動機１０ｂと移動機１０ｃとの三者間の通話の制御を開始し（Ｓ２２１）、移動機１０ｃは移動機１０ａと移動機１０ｂとの音声通話に参加する（Ｓ２２２）。以降、一点鎖線で囲まれるように、移動機１０ａと移動機１０ｂと移動機１０ｃとの音声通話が行われる。
【００９３】
〔効果〕
このような通信システム１、多数ユーザ接続サーバ２０及び通信方法によれば、多数ユーザ接続サーバ２０が、ユーザ情報を記憶しておき、通信中端末である移動機１０ｂに第三者情報として提供できる。更に、多数ユーザ接続サーバ２０は、移動機１０ｂによる第三者端末である移動機１０ｃとの接続の要求に基づいて、移動機１０ｂと移動機１０ｃとの接続を制御できる。移動機１０ｂと移動機１０ｃとが接続することにより、移動機１０ｂ、移動機１０ｂと接続している移動機１０ａ、移動機１０ｃが接続される。そのため、通信中ユーザであるユーザ１ｂは、相手ユーザであるユーザ１ａとの音声通話のような通信中に、第三者であるユーザ１ｃを通信に招待したい場合に、ユーザ１ｃに関するユーザ情報を、第三者情報として取得して確認できる。そして、ユーザ１ｂは、取得した第三者情報に基づいて、通信中にユーザ１ｃを移動機１０ａ，１０ｂ間の通信に招待し、参加させることができる。よって、ユーザ１ｂは、例えば、第三者であるユーザ１ｃが希望する通信手段を用いた通信にユーザ１ｃを招待できる。
【００９４】
更に、制御部２５は、接続の要求に基づいて移動機１０ｂとの接続の可否を移動機１０ｃに問い合わせ、その問い合わせに対する移動機１０ｃからの応答に基づいて接続を制御する。そのため、多数ユーザ接続サーバ２０は、ユーザ１ｃの意向も考慮して、移動機１０ｂと移動機１０ｃとの接続を制御できる。しかも、制御部２５は、問い合わせを行うときに移動機１０ｂが行っている通信に関する通信情報を移動機１０ｃに提供する。そのため、招待されたユーザ１ｃは、通信情報を確認した上で移動機１０ｂとの接続の可否について判断でき、通信に参加することができる。
【００９５】
又、移動機１０ｂによれば、音声通話のような通信中に、多数ユーザ接続サーバ２０に第三者情報の提供を要求して、ユーザ１ｃに関するユーザ情報を第三者情報として受信できる。そして、移動機１０ｂは、通信中に移動機１０ｃとの接続を多数ユーザ接続サーバ２０に要求できる。そのため、通信中ユーザであるユーザ１ｂは、通信中に、ユーザ１ｃに関するユーザ情報を第三者情報として取得して確認できる。そして、ユーザ１ｂは、取得した第三者情報に基づいて、通信中にユーザ１ｃを移動機１０ａ，１０ｂ間の通信に招待し、参加させることができる。
【００９６】
尚、本発明は、上記実施の形態に限定されるものではなく、種々の変更が可能である。例えば、ユーザ情報データベース２１、公開メンバデータベース２２、登録部２４、制御部２５は、別々のサーバに設けてもよい。又、上記実施の形態では、移動機１０ａ，１０ｂ間で音声通話を行っているときに、移動機１０ｃを音声通話に招待する場合を例にとって説明したが、本発明は、動画像通信を用いたテレビ電話による通話や、データ通信を用いたチャットなどの通信中に、移動機１０ｃをテレビ電話による通話やチャットに招待する場合にも適用できる。又、移動機は、招待を一切受け付けないように設定することもできる。多数ユーザ接続サーバ２０は、招待を一切受け付けないと設定した移動機に対する接続確認要求や接続要求を受信した場合には、接続できないことを通信中端末に通知する。
【００９７】
更に、多数ユーザ接続サーバ２０は、第三者端末に問い合わせをすることなく、強制的に通信中端末と第三者端末とを接続してもよい。又、通信中端末は、複数の第三者端末との接続を要求し、複数の第三者端末を通信に招待してもよい。尚、多数ユーザ接続サーバ２０は、複数の第三者端末との接続の要求を受けた場合に、交換機４０や多数ユーザ接続サーバ２０の処理能力や許容トラフィック量などにより制限される通信システム１が接続可能なユーザ数などに基づいて、一部の第三者端末との接続を拒否してもよい。
【図面の簡単な説明】
【００９８】
【図１】本発明の実施の形態に係る第三者端末への発信により第三者端末との接続を要求する場合の通信システムを示す図である。
【図２】本発明の実施の形態に係る多数ユーザ接続サーバへの接続要求の送信により、第三者端末との接続を要求する場合の通信システムを示す図である。
【図３】本発明の実施の形態に係る通信中端末の表示部を示す図である。
【図４】本発明の実施の形態に係る第三者端末の表示部を示す図である。
【図５】本発明の実施の形態に係る第三者端末への発信により第三者端末との接続を要求する場合の通信方法の手順を示すフロー図である。
【図６】本発明の実施の形態に係る多数ユーザ接続サーバへの接続要求の送信により、第三者端末との接続を要求する場合の通信方法の手順を示すフロー図である。
【符号の説明】
【００９９】
１  通信システム
１０ａ，１０ｂ，１０ｃ  移動機
１１ｂ，１１ｃ  通信部
１２ｂ，１２ｃ  入力部
１３ｂ，１３ｃ  音声出力部
１４ｂ，１４ｃ  表示部
１５ｂ，１５ｃ  記憶部
１６ｂ，１６ｃ  制御部
２０  多数ユーザ接続サーバ
２１  ユーザ情報データベース
２２  公開メンバデータベース
２３  ネットワークインタフェース
２４  登録部
２５  制御部
３０  ネットワーク
４０  交換機
４１  インタフェース
４２  記憶部
４３  制御部
【図１】
2005197816.tif 000003
【図２】
2005197816.tif 000004
【図３】
2005197816.tif 000005
【図４】
2005197816.tif 000006
【図５】
2005197816.tif 000007
【図６】
2005197816.tif 000008